(57)【特許請求の範囲】
【請求項１】
硬質パイプ製の外套管の内周面に沿って、ライトガイドファイババンドルが断面形状を環状にして配置された硬性内視鏡のライトガイド組み付け方法において、
予め、上記外套管を支持するための外套管支持部材を上記外套管の基端部に固着すると共に、上記外套管の内周面と隙間をあけて上記外套管内に挿通配置される硬質パイプ製の中間案内管を支持するための案内管支持部材を上記中間案内管の基端部に固着しておき、それから上記ライトガイドファイババンドルを上記外套管の内周面に沿って配置した後、その内側に上記中間案内管を差し込むようにしたことを特徴とする硬性内視鏡のライトガイド組み付け方法。
【請求項２】
上記外套管と上記中間案内管とが同軸線上に配置される請求項１記載の硬性内視鏡のライトガイド組み付け方法。
【請求項３】
上記中間案内管内には、内視鏡観察像をグレーデッド型光ファイバによって伝送する像伝送用光学系が挿通される請求項１又は２記載の硬性内視鏡のライトガイド組み付け方法。
【請求項４】
上記硬性内視鏡が眼科用内視鏡である請求項１、２又は３記載の硬性内視鏡のライトガイド組み付け方法。
【発明の詳細な説明】
【０００１】
【発明の属する技術分野】
この発明は、硬性内視鏡のライトガイド組み付け方法に関する。
【０００２】
【従来の技術】
硬性内視鏡においては、一般に、照明用ライトガイドファイババンドルが、挿入部を外装する硬質パイプ製の外套管とその内側に間隔をあけて配置された中間案内管との間に断面形状を環状にして配置されている。
【０００３】
そのように、ライトガイドファイババンドルを外套管と中間案内管との間に組み込むには、外套管と中間案内管とを治具に固定した状態で、両管の間にライトガイドファイババンドルを充填して接着剤で固めた後、外套管を支持するための外套管支持部材を外套管の基端部に取り付けていた。
【０００４】
【発明が解決しようとする課題】
しかし、上述のように外套管と中間案内管との間にライトガイドファイババンドルを充填、固着した状態で、外套管と中間案内管から治具を取り外したり、外套管に支持部材を取り付けるような作業を行うと、その作業の際にライトガイドファイバを損傷して一部を折ってしまう場合があり、作業が非常に難しかった。
【０００５】
そこで本発明は、ライトガイドファイババンドルを外套管内に環状の断面形状に容易に組み付けることができて、ファイバ折れ等の不具合が発生しない硬性内視鏡のライトガイド組み付け方法を提供することを目的とする。
【０００６】
【課題を解決するための手段】
上記の目的を達成するため、本発明の硬性内視鏡のライトガイド組み付け方法は、硬質パイプ製の外套管の内周面に沿って、ライトガイドファイババンドルが断面形状を環状にして配置された硬性内視鏡のライトガイド組み付け方法において、予め、上記外套管を支持するための外套管支持部材を上記外套管の基端部に固着すると共に、上記外套管の内周面と隙間をあけて上記外套管内に挿通配置される硬質パイプ製の中間案内管を支持するための案内管支持部材を上記中間案内管の基端部に固着しておき、それから上記ライトガイドファイババンドルを上記外套管の内周面に沿って配置した後、その内側に上記中間案内管を差し込むようにしたことを特徴とする。
【０００７】
なお、上記外套管と上記中間案内管とが同軸線上に配置されていてもよく、上記中間案内管内には、内視鏡観察像をグレーデッド型光ファイバによって伝送する像伝送用光学系が挿通されるものであってもよい。
【０００８】
また、上記硬性内視鏡が眼科用内視鏡であってもよい。
【０００９】
【発明の実施の形態】
図面を参照して本発明の実施の形態を説明する。
図５は、眼科用内視鏡装置の全体構成を略示しており、眼科用内視鏡１０は、短い針状の挿入部２０の基端部に術者が指先で摘んで保持する保持部３０が連結され、保持部３０とビデオプロセッサ兼光源装置７１との間が可撓性連結管６０によって連結されている。
【００１０】
ビデオプロセッサ兼光源装置７１には、保持部３０に内蔵された固体撮像素子から送られてくる内視鏡観察像の撮像信号を処理するための処理回路と照明光源等が内蔵されており、ビデオプロセッサ兼光源装置７１からテレビモニター７２に映像信号が送られて、内視鏡観察画像が表示される。
【００１１】
図２は、挿入部２０と保持部３０の構成を示している。挿入部２０は、直径が０．８〜１．５ｍｍ程度で長さが３０〜５０ｍｍ程度のステンレス鋼管等からなる硬質パイプ製の外套管２１によって外装されている。
【００１２】
外套管２１の先端の中心軸位置には、グレーデッド型光ファイバを所定の長さに形成したレンズ（いわゆるセルフォックレンズ）からなる対物レンズ２２が配置され、それに連続して一本の長いグレーデッド型光ファイバロッド２３（いわゆるセルフォックロッド）が、全長にわたって配置されている。
【００１３】
その結果、対物レンズ２２によって結像された被写体の内視鏡観察像が、保持部３０内に位置するグレーデッド型光ファイバロッド２３の像射出端面に伝送される。
【００１４】
外套管２１の内周面とグレーデッド型光ファイバロッド２３との間には、照明光を伝達するためのライトガイドファイババンドル２４が環状に配置されている。ライトガイドファイババンドル２４の射出端面は挿入部２０の先端面に位置しており、対物レンズ２２による視野範囲が、ライトガイドファイババンドル２４から射出される照明光によって照明される。
【００１５】
挿入部２０内には、硬質パイプ製の中間案内筒２５が、ライトガイドファイババンドル２４とグレーデッド型光ファイバロッド２３との間に全長にわたって配置されている。
【００１６】
図３に断面が示されるように、グレーデッド型光ファイバロッド２３には保護管２３ａが被嵌、固着されており、その状態のグレーデッド型光ファイバロッド２３が中間案内管２５内に挿通され、外套管２１と中間案内管２５との間のドーナツ状の断面形状の空間にライトガイドファイババンドル２４が充填されている。
【００１７】
図２に戻って、保持部３０は、中間部分が筒状の中間筒３１によって外装されていて、先側の部分がキャップ状の先側キャップ３２によって外装されている。中間筒３１と先側キャップ３２とは、螺合接続されてさらにその螺合が緩まないように固定ネジ３３によって互いに固定されている。３４はシール用のＯリングである。
【００１８】
外套管２１の基端部分がロー付け等によって固着された外套管支持筒３６は、連結枠３７にネジ止め連結されていて、その両部材３６，３７が中間筒３１と先側キャップ３２とで挟み付けられて内部に固定されている。
【００１９】
３８は、中間案内管２５の基端部分がロー付け等によって固着された案内管支持筒であり、外套管支持筒３６にネジ止め固定されている。そして、視野マスク４０が固着されたマスク止め枠３９が案内管支持筒３８に対してネジ止め固定されていて、視野マスク４０がグレーデッド型光ファイバロッド２３の像射出端面位置に配置されている。４１は、シール用のＯリングである。
【００２０】
４３は、内側に撮像レンズ４４が固定配置された鏡枠であり、連結枠３７にネジ止め固定された鏡枠固定筒４２に対して固着されている。そして、内視鏡観察像を撮像するための固体撮像素子４５が内蔵された撮像素子枠４７が、鏡枠４３の後側に連結されている。
【００２１】
その結果、グレーデッド型光ファイバロッド２３の像射出端面の内視鏡像が撮像レンズ４４によって固体撮像素子４５の撮像面に投影されて撮像され、後方に延出された信号ケーブル４６によって撮像信号がビデオプロセッサ兼光源装置７１に伝送されて、テレビモニター７２に内視鏡観察画像が表示される。
【００２２】
ライトガイドファイババンドル２４は、保持部３０内では一束に束ねられて、案内管支持筒３８、外套管支持筒３６及び連結枠３７等に形成された溝３８ａ，３６ａ，３７ａを通って後方の可撓性連結管６０内に引き通されており、ビデオプロセッサ兼光源装置７１に内蔵された光源ランプ（図示せず）から放射された照明光を、挿入部２０の先端に伝送する。
【００２３】
図１は、挿入部２０と保持部３０との連結部周辺を拡大して示している。ここに示される部分の、ライトガイドファイババンドル２４を挿入部２０に組み込む際には、先ず外套管２１の基端部と中間案内管２５の基端部に外套管支持筒３６と案内管支持筒３８を固着しておく。
【００２４】
そして、外套管２１内にライトガイドファイババンドル２４を挿入した後、中間案内管２５をその内側に差し込み、外套管支持筒３６と案内管支持筒３８を図１に示されるように嵌合させることにより、外套管２１と中間案内管２５の軸合わせが行われるので、特別な治具を用いることなく、ライトガイドファイババンドル２４を、挿入部２０内において環状の断面形状に容易に充填することができる。
【００２５】
中間案内管２５の後端部には、図４に示されるように可撓性連結管６０が連結されており、その連結部を囲むように取り付けられた後側キャップ６２に、可撓性連結管６０の端部近傍に被覆された折れ止め用チューブ６１が固着されている。
【００２６】
中間案内管２５には、術者が手で把持し易いように、三つのローレット環５１，５２，５３が突出形成されており、その最先端のローレット環５１は、所定の向きに平面状に切り欠かれている。５４がその平面状切り欠きである。
【００２７】
この平面状切り欠き５４は、テレビモニター７２に表示される内視鏡観察画像の向きと対応する向きに形成されており、平面状切り欠き５４の設けられた方向がテレビモニター７２において上側に表示されるように、固体撮像素子４５との方向関係が設定されている。
【００２８】
なお、本発明は上記実施の形態に限らず、例えば眼科用内視鏡以外の各種硬性内視鏡に適用することができる。
【００２９】
【発明の効果】
本発明によれば、ライトガイドファイババンドルを組み付ける作業が行われる前に、外套管支持部材と案内管支持部材とが各管の基端部に固着され、ライトガイドファイババンドルを外套管と中間案内管との間に環状の断面形状に組み込むのに治具を必要としない。
【００３０】
したがって、ライトガイドファイババンドルを組み付けた後で治具等を取り外す作業がないので、ファイバ折れ等のおそれなくライトガイドファイババンドルを外套管内に環状の断面形状に容易に組み付けることができる。
【図面の簡単な説明】
【図１】本発明の実施の形態の挿入部と保持部との連結部周辺の側面拡大断面図である。
【図２】本発明の実施の形態の保持部の側面断面図である。
【図３】本発明の実施の形態の挿入部の正面拡大断面図である。
【図４】本発明の実施の形態の挿入部と保持部周辺の後半部分を断面で示す側面図である。
【図５】本発明の実施の形態の硬性内視鏡装置の全体略示図である。
【符号の説明】
２０  挿入部
２１  外套管
２４  ライトガイドファイババンドル
２５  中間案内管
３６  外套管支持筒
３８  案内管支持筒
【図１】
0003898800.tif 000002
【図２】
0003898800.tif 000003
【図３】
0003898800.tif 000004
【図４】
0003898800.tif 000005
【図５】
0003898800.tif 000006